(57)【要約】【課題】優れた防水性能を有する表示部を備える作業機を提供する。【解決手段】直流電力を用いて作動する作業機は、バッテリと、表示部と、を備える。バッテリは、直流電力を出力するように構成される。表示部は、作業機に関する情報を表示するように構成される。また、表示部は、基板３０と、少なくとも一つの発光器と、通電部材５０と、レンズ６０，７１と、樹脂部材と、を備える。発光器は、基板３０上に設けられる。通電部材５０は、発光器へ直流電力を給電する。レンズ６０，７１は、基板３０上に設けられ、発光器を覆う。樹脂部材は、基板３０に固定するようにレンズ６０，７１の周囲を覆うレンズ被覆部と、通電部材を覆う通電被覆部と、を有する。【選択図】図８
2020093343.tif 000002
【特許請求の範囲】
【請求項１】
直流電力を用いて作動する作業機であって、
前記直流電力を出力するように構成されたバッテリと、
前記作業機に関する情報を表示するように構成された表示部と、を備え、
前記表示部は、
基板と、
前記基板上に設けられた少なくとも一つの発光器と、
前記少なくとも一つの発光器へ前記直流電力を給電するための通電部材と、
前記基板上に設けられ、前記少なくとも一つの発光器を覆う少なくとも一つのレンズと、
前記基板に固定するように前記少なくとも一つのレンズの周囲を覆うレンズ被覆部と、前記通電部材を覆う通電被覆部と、を有する樹脂部材と、を備える、
作業機。
【請求項２】
前記少なくとも一つの発光器は、複数の発光器を含み、
前記少なくとも一つのレンズは、複数のレンズを含み、
前記複数の発光器は、前記基板上に並べて配置され、
前記複数のレンズのそれぞれは、前記複数の発光器のそれぞれを覆っている、
請求項１に記載の作業機
【請求項３】
前記レンズ被覆部は、隣り合うレンズの間に設けられた壁部を備える、
請求項２に記載の作業機。
【請求項４】
前記樹脂部材は、遮光性を有する色に着色されている、
請求項２又は３に記載の作業機。
【請求項５】
前記通電部材は、前記少なくとも一つの発光器と接続する金属製の接続部材を含む、
請求項１〜４のいずれか１項に記載の作業機。
【請求項６】
前記レンズ被覆部と前記通電被覆部とは一体成型によって構成されている、
請求項１〜５のいずれか１項に記載の作業機。     
【請求項７】
前記少なくとも一つのレンズは透明である、
請求項１〜６のいずれか１項に記載の作業機。
【請求項８】
前記少なくとも一つの発光器は、光を発光する発光面を含み、
前記樹脂部材は、前記少なくとも一つのレンズの前記発光面と対向する対向部分を囲むように、前記少なくとも一つのレンズの周囲を覆っている、
請求項１〜７のいずれか１項に記載の作業機。
【請求項９】
前記少なくとも一つのレンズは、複数のレンズを含み、
前記複数のレンズは連結されている、
請求項１〜８のいずれか１項に記載の作業機。
【発明の詳細な説明】
【技術分野】
【０００１】
本開示は、表示部を備える作業機に関する。
【背景技術】
【０００２】
バッテリの電力を利用する作業機は、作業機に関する情報を報知するため、ＬＥＤ等の発光器を含む表示部を備えていることがある。例えば、特許文献１に記載の充電インパクトドライバは、動作モードを切替えるためのタクトスイッチと、動作モードやバッテリの残量等を表示するＬＥＤと、を備える。
【０００３】
上記充電インパクトドライバでは、タクトスイッチとＬＥＤとが基板に設けられ、基板には、複数の孔が設けられた操作パネルが組み付けられている。操作パネルは、複数の孔の位置がタクトスイッチ及びＬＥＤの位置に対応するように配置され、ポッティング材により基板と一体化されている。そして、操作パネルの上には薄いプラスチックシートが貼設され、複数の孔はプラスチックシートによって塞がれている。
【先行技術文献】
【特許文献】
【０００４】
【特許文献１】特許第５５１５７３６号公報
【発明の概要】
【発明が解決しようとする課題】
【０００５】
上記充電インパクトドライバは、プラスチックシートによってＬＥＤやＬＥＤの通電経路への液体の浸入を抑制している。しかしながら、プラスチックシートは、剥がれたり、擦り減ったりするため、プラスチックシートの貼設だけでは、十分な防水性能が得られない可能性がある。ひいては、操作パネルの孔からの液体の浸入によって、ＬＥＤ等が故障する可能性がある。
【０００６】
本開示の１つの局面は、優れた防水性能を有する表示部を備える作業機を提供する。
【課題を解決するための手段】
【０００７】
本開示の１つの局面は、直流電力を用いて作動する作業機であって、バッテリと、表示部と、を備える。バッテリは、直流電力を出力するように構成される。表示部は、作業機に関する情報を表示するように構成される。また、表示部は、基板と、少なくとも一つの発光器と、通電部材と、少なくとも一つのレンズと、樹脂部材と、を備える。少なくとも一つの発光器は、基板上に設けられる。通電部材は、少なくとも一つの発光器へ直流電力を給電する。少なくとも一つのレンズは、基板上に設けられ、少なくとも一つの発光器を覆う。樹脂部材は、基板に固定するように少なくとも一つのレンズの周囲を覆うレンズ被覆部と、通電部材を覆う通電被覆部と、を有する。
【０００８】
本開示の１つの局面によれば、基板上に設けられた少なくとも一つの発光器が少なくとも一つのレンズによって覆われ、レンズはその周囲が樹脂部材によって覆われ基板に固定されている。そのため、レンズは基板から外れにくい。また、レンズは、粘着剤によらず防水性を確保できるため、プラスチックシートと比べて摩耗に強い。さらに、通電部材も樹脂部材によって覆われている。したがって、発光器及び通電部材への液体の浸入を抑制し、表示部の優れた防水性能を実現することができる。
【０００９】
また、少なくとも一つの発光器は、複数の発光器を含んでもよい。少なくとも一つのレ
ンズは、複数のレンズを含んでもよい。複数の発光器は、基板上に並べて配置されてもよい。複数のレンズのそれぞれは、複数の発光器のそれぞれを覆っていてもよい。
【００１０】
複数の発光器は、それぞれレンズによって覆われている。よって、発光器それぞれに対する防水性能を高めることができる。
また、レンズ被覆部は、隣り合うレンズの間に設けられた壁部を備えていてもよい。
【００１１】
隣り合うレンズの間に樹脂部材である壁部が設けられていることにより、発光器それぞれに対する防水性能をさらに高めることができる。
また、樹脂部材は、遮光性を有する色に着色されていてもよい。
【００１２】
樹脂部材が遮光性を有する色に着色されていることにより、複数の発光器が発光した光の干渉を抑制できる。特に、隣り合う複数のレンズの間に壁部が設けられている場合、複数の発光器のそれぞれが発光した光の干渉を好適に抑制することができる。
【００１３】
また、通電部材は、少なくとも一つの発光器と接続する金属製の接続部材を含んでもよい。
金属製の接続部材が樹脂部材によって覆われているため、接続部材に液体が付着することを抑制できる。ひいては、通電時に短絡等の故障が生じることを抑制できる。
【００１４】
また、レンズ被覆部と通電被覆部とは一体成型によって構成されていてもよい。
レンズの周囲を覆うレンズ被覆部と通電部材を覆う通電被覆部とが一体成型されているため、レンズ被覆部と通電被覆部とが個別に成型されている場合と比べて、樹脂部材が剥がれにくい。ひいては、表示部の防水性能を向上させることができる。
【００１５】
また、少なくとも一つのレンズは透明であってもよい。
レンズが透明であると、発光器から放射される光を視認しやすい。
また、少なくとも一つの発光器は、光を発光する発光面を含んでもよい。樹脂部材は、少なくとも一つのレンズの発光面と対向する対向部分を囲むように、少なくとも一つのレンズの周囲を覆っていてもよい。
発光器の発光面と対向する対向部分を除くように、レンズの周囲が樹脂部材によって覆われているため、基板に固定されたレンズを介して、発光面から放射される光を視認することができる。また、対向部分が樹脂部材で囲まれているため、対向部分に直接接触することが回避され、レンズが摩耗に強くなる。
【００１６】
また、少なくとも一つのレンズは、複数のレンズを含んでもよい。複数のレンズは連結されていてもよい。
複数のレンズが連結されていることにより、基板に対して複数のレンズの位置を容易に決めることができる。
【図面の簡単な説明】
【００１７】
【図１】本実施形態に係る草刈機の外観を示す斜視図である。
【図２】ＬＥＤが搭載された基板の表面を示す平面図である。
【図３】リード線が接続された基板の裏面を示す平面図である。
【図４】大レンズを示す平面図である。
【図５】大レンズを示す斜視図である。
【図６】連結レンズを示す平面図である。
【図７】連結レンズを示す斜視図である。
【図８】基板に大レンズ及び連結レンズを搭載した状態を示す平面図である。
【図９】基板上の大レンズ及び連結レンズを樹脂部材で固定した様子を示す平面図である。
【図１０】基板上の大レンズ、連結レンズ及び基板裏のリード線を樹脂部材で固定した様子を示す斜視図である。
【図１１】基板に装着する表示カバーを示す斜視図である。
【図１２】基板に表示カバーを装着した様子を示す平面図である。
【図１３】基板に表示カバーを装着した様子を示す斜視図である。
【発明を実施するための形態】
【００１８】
以下、図面を参照しながら、本開示を実施するための形態を説明する。
＜１．全体構成＞
まず、本実施形態に係る草刈機１の全体構成について、図１を参照して説明する。草刈機１は、本開示の１つの局面における作業機の一例に相当する。
【００１９】
草刈機１は、メインパイプ２と、制御ユニット３と、駆動ユニット４と、カバー５と、ハンドル６と、を備える。
メインパイプ２は、長尺かつ中空の棒状に形成されている。メインパイプ２の後端側に制御ユニット３が設けられ、メインパイプ２の前端側に駆動ユニット４及びカバー５が設けられている。
【００２０】
駆動ユニット４は、モータハウジング１６と、刈刃１７と、を備えている。刈刃１７は、草や小径木などの刈り取り対象物を刈り取るための作業ツールであり、モータハウジング１６に対して着脱可能に構成されている。刈刃１７は、金属製であって、円板形状を有しており、外周全体に渡って鋸刃状の歯が形成されている。カバー５は、刈刃１７により刈り取られた草等が、草刈機１の使用者に飛んでくることを抑止するために設けられている。
【００２１】
モータハウジング１６の内部には、刈刃１７を回転させるための回転力を発生するモータ１５が搭載されている。モータ１５の駆動により発生した回転力は、減速機構を介して刈刃１７が装着された作業ツール回転軸に伝達される。
【００２２】
ハンドル６は、Ｕ字状に形成されており、メインパイプ２の長さ方向における中間位置近傍でメインパイプ２に接続されている。ハンドル６の第１端側には作業者が右手で把持する右グリップ７が設けられ、ハンドル６の第２端側には作業者が左手で把持する左グリップ８が設けられている。
【００２３】
右グリップ７の先端側には、表示部９、ロックオフボタン１０、及びトリガ１１が設けられている。表示部９は、使用者から視認可能に設けられており、草刈機１に関する情報を表示する。草刈機１に関する情報は、例えば、後述するバッテリ２０の残容量、モータ１５の回転速度、モータ１５の動作モードなどである。
【００２４】
トリガ１１は、作業者が刈刃１７の回転又は停止を指示するために操作する操作部材である。右グリップ７の内部には、トリガ１１と連動して動作するトリガスイッチ１２が配置されている。トリガスイッチ１２は、トリガ１１の操作時にオンし、トリガ１１の非操作時にオフして、そのオン状態又はオフ状態を示すトリガ信号を出力する。
【００２５】
ロックオフボタン１０は、刈刃１７の誤動作を防止または抑制するためのボタンである。ロックオフボタン１０が押下されていない状態では、ロックオフボタン１０がトリガ１１に機械的に係合する。これにより、トリガ１１の動きを規制し、トリガスイッチ１２がオン状態になることを阻止または抑制する。ロックオフボタン１０が押下された状態では、ロックオフボタン１０によるトリガ１１との係合が解除される。
【００２６】
右グリップ７の下端と制御ユニット３の前端の間には、制御配線パイプ１３が設けられている。制御配線パイプ１３は、中空のチューブ形状に形成されており、弾性を有する。制御配線パイプ１３の内部には、制御用ハーネスが配設されている。制御用ハーネスは、表示部９及びトリガスイッチ１２と制御ユニット３とを電気的に接続するための配線である。
【００２７】
制御ユニット３は、後端ハウジング２１と、バッテリパック２２とを備えている。バッテリパック２２は、後端ハウジング２１の後端部に着脱可能に構成されている。
バッテリパック２２には、バッテリ２０が内蔵されている。バッテリ２０は、後端ハウジング２１内の各部及びモータ１５へ直流電力を供給するための、繰り返し充電可能な電源である。バッテリ２０は、一例としてリチウムイオン二次電池を備えている。
【００２８】
後端ハウジング２１の前端側には、変速ダイヤル２３及びメインスイッチ２４が、作業者が操作可能な状態で設けられている。変速ダイヤル２３は、使用者がモータ１５の回転速度を可変設定するために設けられている。メインスイッチ２４は、バッテリ２０から各部への給電を開始させることで、草刈機１を使用可能な状態にするためのスイッチである。また、モータ１５の回転方向を正回転又は逆回転の何れかに切り替えるための正逆切替スイッチ等（図示なし）も設けられている。
【００２９】
＜２．表示部の構成＞
次に、表示部９の詳しい構成について図面を参照して説明する。図２に示すように、表示部９は、略長方形のプリント基板（以下、基板）３０と、５個の発光ダイオード（以下、ＬＥＤ）４１，４２，４３，４４，４５と、を備える。なお、ここでは、基板３０の長手方向を左右方向、基板３０の短手方向を上下方向と称する。また、ＬＥＤ４１〜４５が搭載されている基板３０の面側を表側、表側の反対側を裏側と称する。本実施形態において、ＬＥＤ４１〜４５は、発光器の一例に相当する。
【００３０】
ＬＥＤ４２，４３，４４，４５のそれぞれは、光を発光する発光面４２ａ，４３ａ，４４ａ，４５ａのそれぞれを備え、１つの色の光を発光可能に構成されている。一方、ＬＥＤ４１は、光を発光する発光面４１ａを備え、２つの色（例えば、赤色と緑色）を発光可能に構成されている。そのため、ＬＥＤ４１は、ＬＥＤ４２〜４５よりも大型に構成されている。ＬＥＤ４２〜４５は、同じ大きさに構成されている。
【００３１】
ＬＥＤ４１は、基板３０の表面３０ａの左上方に配置されている。ＬＥＤ４２は、表面３０ａにおいてＬＥＤ４１の下方に配置されている。ＬＥＤ４１とＬＥＤ４２は、表面３０ａの左側において上下方向に一列に並べられている。
【００３２】
また、ＬＥＤ４３は、基板３０の表面３０ａの右上方に配置されている。ＬＥＤ４４は、表面３０ａにおいてＬＥＤ４３の下方に配置されている。さらに、ＬＥＤ４５は、表面３０ａにおいてＬＥＤ４４の下方に配置されている。ＬＥＤ４３、ＬＥＤ４４及びＬＥＤ４５は、表面３０ａの右側において上下方向に等間隔で一列に並べられている。
【００３３】
ＬＥＤ４１〜４５は、それぞれの発光面４１ａ〜４５ａを表側に向けて、それぞれの長手方向が基板３０の長手方向と一致するように表面３０ａに配置されている。
また、図３に示すように、表示部９は、ＬＥＤ４１〜４５に、バッテリ２０からの直流電力を供給するための７本のリード線５０を備える。ここでの直流電力は、流れる方向（すなわち正負）が変化しない電力全般のことである。バッテリ２０から表示部９へ、一定の電圧を供給してもよいし、所定電圧をパルスで供給してもよい。
【００３４】
７本のリード線５０のうちの１本は、ＬＥＤ４１〜４５に共通のグランド線である。また、７本のリード線５０のうちの４本は、ＬＥＤ４２〜４５にそれぞれ接続されている。残りの２本のリード線５０は、２色のＬＥＤ４１に接続されている。各リード線５０は、被膜が除去され金属製の芯線が剥き出しになっている芯線部５１を含む。各芯線部５１は、基板３０に設けられた銅箔に対応した位置で、はんだ接続部によってその全体が基板３０にはんだ付けされている。各リード線５０は、はんだ接続部及び銅めっきが施されたスルーホールを介して、ＬＥＤ４１〜４５の端子に接続されている。本実施形態では、リード線５０が通電部材の一例に相当し、芯線部５１、はんだ接続部、及び銅箔が金属製の接続部材の一例に相当する。
【００３５】
表示部９は、さらに、２つの大レンズ６０と、１つの連結レンズ７０と、を備える。２つの大レンズ６０は、ＬＥＤ４１，４２のそれぞれを覆う。連結レンズ７０は、ＬＥＤ４３，４４，４５のそれぞれを覆う。
【００３６】
図４及び図５に示すように、大レンズ６０は、１つの底面６４と４つの側面と底面６４と対向する開口部とを有する直方体形状に構成されている。大レンズ６０は、その内部空間６３に、ＬＥＤ４１を収納可能な大きさに構成されている。また、大レンズ６０は、開口部の４つの角のうちの対向する２つの角から裏側へ突出した突起部６１，６２を有する。大レンズ６０は、ＬＥＤ４１，４２から発光される光を透過する透明のレンズである。
【００３７】
一方、図６及び図７に示すように、連結レンズ７０は、３つの小レンズ７１と、連結部７２と、を有する。各小レンズ７１は、１つの底面７８と４つの側面と底面７８と対向する開口部とを有する直方体形状に構成されている。４つの側面は、底面７８の短辺に繋がった２つの側面７６と、底面７８の長辺に繋がった２つの側面７７と、を含む。各小レンズ７１は、その内部空間７５に、ＬＥＤ４３，４４，４５のいずれかを収納可能な大きさに構成さている。また、各小レンズ７１は、ＬＥＤ４３，４４，４５から発光される光を透過する透明のレンズである。
【００３８】
ここで、上述した「透明のレンズ」とは、レンズの色の有無に関わらず、光を透過する光透過性を有するレンズのことであり、無色透明のレンズだけでなく、色付きの光を透過するレンズも含む。
【００３９】
３つの小レンズ７１は、上下方向に、ＬＥＤ４３，４４，４５の間隔に応じた間隔で並べられている。３つの小レンズ７１は、側面７６が上下方向に沿うように並べられており、各小レンズ７１の側面７６が連結部７２によって連結されている。連結部７２は、上下方向に延伸した長手部７２ａと、長手部７２ａから等間隔に左右方向に延伸した３つの枝部７２ｂと、を備える。各枝部７２ｂは、各小レンズ７１の側面７６に繋がっている。また、連結部７２は、長手部７２ａの両端から裏側へ突出した突起部７３，７４を有する。
【００４０】
図２に示すように、基板３０には、取付孔３１〜３６と、装着孔３７，３８と、が設けられている。取付孔３１，３２は、ＬＥＤ４１に対して右上及び左下の位置に設けられている。取付孔３３，３４は、ＬＥＤ４２に対して左上及び右下の位置に設けられている。取付孔３５，３６は、ＬＥＤ４３及びＬＥＤ４５の右側の位置に設けられている。装着孔３７，３８は、基板３０の左上端と右上端に設けられている。
【００４１】
取付孔３１，３２には、大レンズ６０の突起部６１，６２が挿入される。また、取付孔３３，３４にも、大レンズ６０の突起部６１，６２が挿入される。これにより、図８に示すように、大レンズ６０が基板３０上のＬＥＤ４１，４２に対応する位置に配置され、ＬＥＤ４１，４２がそれぞれ大レンズ６０により覆われる。一方、取付孔３５，３６には、連結レンズ７０の突起部７３，７４が挿入される。これにより、図８に示すように、連結
レンズ７０が基板３０上のＬＥＤ４３〜４５に対応する位置に配置され、ＬＥＤ４３，４４，４５がそれぞれ小レンズ７１により覆われる。また、装着孔３７，３８には、後述する表示カバー１００のカバー突起部２００が挿入される。
【００４２】
さらに、表示部９は、大レンズ６０及び連結レンズ７０の周囲、及び、７本のリード線５０の一部を覆って基板３０に固定する樹脂部材８０を備える。
図９及び図１０に示すように、樹脂部材８０は、第１レンズ被覆部８１と、第２レンズ被覆部８２と、リード線被覆部８３と、ベース部８４と、を含む。樹脂部材８０は、遮光性を有する色（例えば、黒色）に着色された色付きの樹脂で構成されている。
【００４３】
第１レンズ被覆部８１は、基板３０の表面３０ａにおいて、表面３０ａの左側に配置された２つの大レンズ６０の周囲を覆っている。詳しくは、第１レンズ被覆部８１は、第１外周部８１ａと、第１壁部８１ｂと、を備える。第１外周部８１ａは、基板３０の表面３０ａから表側へ突出し、隣り合う２つの大レンズ６０の外周を囲んでいる。第１壁部８１ｂは、基板３０の表面３０ａから表側へ突出し、隣り合う２つの大レンズ６０の間に配置されて、２つの大レンズ６０の間を埋めている。第１壁部８１ｂは、ＬＥＤ４１からＬＥＤ４２への光の伝播を遮るとともに、ＬＥＤ４２からＬＥＤ４１への光の伝播を遮る。すなわち、第１壁部８１ｂは、隣り合うＬＥＤ４１とＬＥＤ４２との間の光の伝播を遮り、ＬＥＤ４１から放射された光と、ＬＥＤ４２から放射された光との干渉を抑制する。
【００４４】
第１外周部８１ａ及び第１壁部８１ｂは、大レンズ６０の底面６４のうちの発光面４１ａ，４２ａと対向する対向部分を除くように、大レンズ６０の周囲を覆っている。すなわち、第１外周部８１ａ及び第１壁部８１ｂは、大レンズ６０の各側面と底面６４の端部とを覆い、底面６４の中心部分を覆っていない。このため、第１レンズ被覆部８１には、発光面４１ａ，４２ａと対向する第１被覆開口部８１ｃ，８１ｄが形成されている。これにより、ＬＥＤ４１，４２への液体の浸入が抑制されるとともに、ＬＥＤ４１，４２から放射された光が、大レンズ６０及び第１被覆開口部８１ｃ，８１ｄを介して伝播する。
【００４５】
第２レンズ被覆部８２は、基板３０の表面３０ａにおいて、表面３０ａの右側に配置された３つの小レンズ７１の周囲を覆っている。詳しくは、第２レンズ被覆部８２は、第２外周部８２ａと、２つの第２壁部８２ｂと、を備える。第２外周部８２ａは、基板３０の表面３０ａから表側へ突出し、隣り合う３つの小レンズ７１の外周を囲んでいる。２つの第２壁部８２ｂは、上側の小レンズ７１と中央の小レンズ７１との間、及び中央の小レンズ７１と下側の小レンズ７１との間にそれぞれ配置されて、それぞれの間を埋めている。一方の第２壁部８２ｂは、ＬＥＤ４３からＬＥＤ４４への光の伝播を遮るとともに、ＬＥＤ４４からＬＥＤ４３への光の伝播を遮る。他方の第２壁部８２ｂは、ＬＥＤ４４からＬＥＤ４５への光の伝播を遮るとともに、ＬＥＤ４５からＬＥＤ４４への光の伝播を遮る。すなわち、２つの第２壁部８２ｂは、ＬＥＤ４３から放射された光とＬＥＤ４４から放射された光との干渉、及び、ＬＥＤ４４から放射された光とＬＥＤ４５から放射された光との干渉を抑制する。
【００４６】
第２外周部８２ａ及び第２壁部８２ｂは、３つの小レンズ７１の底面７８のうちの発光面４３ａ，４４ａ，４５ａと対向する対向部分を除くように、３つの小レンズ７１の周囲を覆っている。すなわち、第２外周部８２ａ及び第２壁部８２ｂは、３つの小レンズ７１の各側面と各底面７８の端部とを覆い、各底面７８の中心部分を覆っていない。このため、第２レンズ被覆部８２には、発光面４３ａ，４４ａ，４５ａと対向する第２被覆開口部８２ｃ，８２ｄ，８２ｅが形成されている。これにより、ＬＥＤ４３，４４，４５への液体の浸入が抑制されるとともに、ＬＥＤ４３，４４，４５から放射された光は、小レンズ７１及び第２被覆開口部８２ｃ，８２ｄ，８２ｅを介して伝播する。
【００４７】
リード線被覆部８３は、基板３０の裏面３０ｂにおいて、各リード線５０の上部を覆っている。詳しくは、リード線被覆部８３は、各リード線５０の金属部５１を含む各リード線５０の上部を覆っている。これにより、金属部５１への液体の付着が抑制され、短絡等の故障が抑制される。
【００４８】
ベース部８４は、第１レンズ被覆部８１と第２レンズ被覆部８２とリード線被覆部８３とを繋げるように、装着孔３７，３８を避けて、基板３０の表面３０ａ及び裏面３０ｂを覆っている。第１レンズ被覆部８１及び第２レンズ被覆部８２は、ベース部８４よりも表面３０ａから表側に突出している。また、リード線被覆部８３は、ベース部８４よりも裏面３０ｂから裏側に突出している。
【００４９】
第１レンズ被覆部８１、第２レンズ被覆部８２、リード線被覆部８３、及びベース部８４は、樹脂を用いた一体成型によって構成されている。例えば、樹脂部材８０は、基板３０を表側と裏側から挟む金型に樹脂を注入して形成されている。なお、本実施形態では、第１レンズ被覆部８１及び第２レンズ被覆部８２がそれぞれレンズ被覆部の一例に相当し、第１壁部８１ｂ及び第２壁部８２ｂがそれぞれ壁部の一例に相当する。また、リード線被覆部８３が通電被覆部の一例に相当する。
【００５０】
そして、基板３０と、ＬＥＤ４１〜４５と、２つの大レンズ６０と、連結レンズ７０と、７本のリード線５０と、樹脂部材８０とから、表示部本体９０が構成されている。
さらに、表示部９は、表示部本体９０に装着される樹脂製の表示カバー１００を備える。
【００５１】
図１１〜１３に示すように、表示カバー１００は、カバーベース部１７０と、外壁部１６５と、底面部１６０と、２つのカバー突起部１９０と、２つの保持部１７５と、を備える。
【００５２】
カバーベース部１７０は、矩形状で、上下方向の長さ及び左右方向の長さが、基板３０より少し大きく構成されている。
２つのカバー突起部１９０は、筒形状に形成されており、カバーベース部１７０の左上及び右上から裏側へ突出している。２つのカバー突起部１９０は、基板３０に設けられた装着孔３７，３８に位置合わせされる。位置合わせされた２つのカバー突起部２００と装着孔３７，３８は、タッピンネジ２００によって結合される。これにより、表示カバー１００が表示部本体９０に装着されて表示部９が構成される。
【００５３】
また、２つの保持部１７５は、カバーベース部１７０の左右から裏側に突出している。右側の保持部１７５は、右側のカバー突起部２００よりも右側に設けられており、左側の保持部１７５は、左側のカバー突起部２００よりも左側に設けられている。各保持部１７５は、上下方向に延伸した板状部材とその上側及び下側に接続されたＬ字形状の部材とを有する。各保持部１７５の板状部材の上下方向の長さは、基板３０の上下方向の長さよりも少し大きく形成されている。そして、２つの保持部１７５は、表示部本体９０に表示カバー１００が装着された状態において、樹脂部材８０で覆われていない基板３０の左右の端部を保持する。
【００５４】
底面部１６０は、矩形状の面であり、外壁部１６５は、カバーベース部１７０から表側に向って突出し、底面部１６０を囲む壁である。外壁部１６５は、カバーベース部１７０の外周よりも内側に設けられている。底面部１６０は、表示部本体９０に表示カバー１００が装着された状態において、第１レンズ被覆部８１及び第２レンズ被覆部８２と対向する。
【００５５】
また、底面部１６０には、１つの丸窓１１０と、４つの角窓１２０，１３０，１４０、１５０と、が設けられている。丸窓１１０は、ＬＥＤ４１の発光面４１ａと対応する位置に設けられている。また、角窓１２０，１３０，１４０，１５０は、それぞれ、ＬＥＤ４２，４３，４４，４５の発光面４２ａ，４３ａ，４４ａ，４５ａと対応する位置に設けられている。
【００５６】
表示部本体９０に表示カバー１００が装着された状態において、大レンズ６０の底面６４及び小レンズ７１の底面７８と底面部１６０との間には表裏方向の隙間が存在する。ここで、底面６４及び底面７８の端部は樹脂部材８０によって覆われている。そのため、発光面４１ａ〜４５ａから放射された光は、表裏方向の隙間における拡散が抑制される。ひいては、発光面４１ａ〜４５ａから放射された光は、それぞれ、他の発光面４１ａ〜４５ａから放射された光との干渉が抑制された状態で、丸窓１１０及び角窓１２０〜１５０から伝播する。
【００５７】
さらに、底面６４及び底面７９の端部が樹脂部材８０によって覆われているため、樹脂部材８０の厚みによって、表示カバー１００と底面６４及び底面７９との間に隙間が保たれる。よって、底面６４及び底面７９への直接接触が回避され、底面６４及び底面７９の摩耗が抑制される。
【００５８】
また、表示部９は、底面部１６０の表側に貼付される、図示しない透明のプラスチックシートであるシール材を備える。シール材が底面部１６０に貼付されることにより、丸窓１１０及び角窓１２０〜１５０が塞がれる。
【００５９】
＜３．効果＞
以上説明した第１実施形態によれば、以下の効果が得られる。
（１）基板３０上に設けられたＬＥＤ４１〜４５が大レンズ６０及び小レンズ７１によって覆われている。そして、大レンズ６０及び小レンズ７１は、その周囲が樹脂部材８０によって覆われ基板３０に固定されている。そのため、大レンズ６０及び小レンズ７１は基板３０から外れにくい。また、大レンズ６０及び小レンズ７１は、プラスチックシートと比べて摩耗に強い。さらに、リード線５０も樹脂部材８０によって覆われている。したがって、ＬＥＤ４１〜４５及びリード線５０への液体の浸入を抑制し、表示部９の優れた防水性能を実現することができる。
【００６０】
（２）ＬＥＤ４１，４２のそれぞれが大レンズ６０によって覆われるとともに、ＬＥＤ４３〜４５のそれぞれが小レンズ７１によって覆われている。よって、ＬＥＤ４１〜４５のそれぞれに対する防水性能を高めることができる。
【００６１】
（３）隣り合う大レンズ６０の間には第１壁部８１ｂが設けられており、隣り合う小レンズ７１の間には第２壁部８２ｂが設けられている。よって、ＬＥＤ４１〜４５のそれぞれに対する防水性能を高めることができる。
【００６２】
（４）樹脂部材８０が遮光性を有する色に着色されていることにより、ＬＥＤ４１〜４５のそれぞれが発光した光の干渉を抑制できる。特に、遮光性を有する色に着色された第１壁部８１ｂ及び第２壁部８２ｂが設けられていることにより、ＬＥＤ４１〜４５のそれぞれが発光した光の干渉を好適に抑制できる。
【００６３】
（５）リード線５０の金属部５１がリード線被覆部８３によって覆われているため、金属部５１に液体が付着することを抑制できる。ひいては、通電時に短絡等の故障が生じることを抑制できる。
【００６４】
（６）第１レンズ被覆部８１と第２レンズ被覆部８２とリード線被覆部８３とが、樹脂で一体成型されているため、それぞれが個別に成型されている場合と比べて、樹脂部材８０が剥がれにくい。ひいては、表示部９の防水性能を向上させることができる。
【００６５】
（７）大レンズ６０及び小レンズ７１が透明であるため、ＬＥＤ４１〜４５が発光する光を視認しやすい。
（８）ＬＥＤ４１〜４５の発光面４１ａ〜４５ａと対向する対向部分を除くように、大レンズ６０及び小レンズ７１の周囲が、第１外周部８１ａ、第１壁部８１ｂ、第２外周部８２ａ及び第２壁部８２ｂによって覆われている。そのため、基板３０に固定された大レンズ６０及び小レンズ７１を介して、発光面４１ａ〜４５ａのそれぞれから発光される光を視認することができる。
【００６６】
（９）３つの小レンズ７１が連結部７２によって連結されていることにより、基板３０に対して３つの小レンズ７１の位置を簡単に決めることができる。一方、２つの大レンズ６０は連結されていない。そのため、ＬＥＤ４１，４２の配置は、作業機の機種に応じて変更することができる。すなわち、小レンズ７１の位置決めを容易にしつつ、複数の機種に対応可能な表示部９を実現することができる。
【００６７】
（他の実施形態）
以上、本開示を実施するための形態について説明したが、本開示は上述の実施形態に限定されることなく、種々変形して実施することができる。
【００６８】
（ａ）上記実施形態では、ＬＥＤ４１〜４５のそれぞれにリード線５０が接続されていたが、本開示は上記実施形態に限定されるものではない。７本のリード線５０が１本のケーブルにまとめられてケーブルコネクタに接続されていてもよい。そして、ＬＥＤ４１〜４５に接続されたＬＥＤコネクタが基板３０に設けられていてもよい。この場合、ケーブルコネクタをＬＥＤコネクタに接続することによって、ＬＥＤ４１〜４５に通電することができる。また、この場合、ケーブルコネクタ及びＬＥＤコネクタが接続部材に相当し、樹脂部材によって覆われる。
【００６９】
（ｂ）上記実施形態では、表示部９は５個のＬＥＤ４１〜４５を備えているが、ＬＥＤの個数は１個以上であれば何個でもよく、限定されるものではない。各ＬＥＤの発光色及び大きさも限定されるものではない。また、ＬＥＤを覆うレンズは、ＬＥＤの個数及び大きさに応じて適宜設ければよいし、レンズの形状は直方形状に限定されるものではない。例えば、レンズの形状は半球形状であってもよい。
【００７０】
（ｃ）上記実施形態では、作業機の一例として草刈機１を示したが、作業機は草刈機に限定されるものではなく、バッテリの直流電力で作動し、表示部を備えた作業機であればよい。例えば、作業機は、レーザー墨出し器、チェンソー、ヘッジトリマなどでもよい。また、作業機は、刈刃を駆動する駆動力を発生するエンジンと、バッテリからの直流電力によって回転力を発生し、エンジンのクランク軸に初期回転を付与するセルモータと、を備える草刈機でもよい。本開示は、特に屋外で使用する作業機に適用することで、大きな利益を得られる。
【００７１】
（ｄ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換し
てもよい。
【符号の説明】
【００７２】
１…草刈機、９…表示部、２０…バッテリ、３０…基板、３０ａ…表面、３０ｂ…裏面、３１〜３６…取付孔、４１〜４５…ＬＥＤ、４１ａ〜４５ａ…発光面、５０…リード線、５１…金属部、６０…大レンズ、６１，６２，７３，７４…突起部、６３，７５…内部空間、６４，７８…底面、７０…連結レンズ、７１…小レンズ、７２…連結部、８０…樹脂部材、８１…第１レンズ被覆部、８１ａ…第１外周部、８１ｂ…第１壁部、８１ｃ，８１ｄ…第１被覆開口部、８２…第２レンズ被覆部、８２ａ…第２外周部、８２ｂ…第２壁部、８２ｃ，８２ｄ，８２ｅ…第２被覆開口部、８３…リード線被覆部、８４…ベース部。
【図１】
2020093343.tif 000003
【図２】
2020093343.tif 000004
【図３】
2020093343.tif 000005
【図４】
2020093343.tif 000006
【図５】
2020093343.tif 000007
【図６】
2020093343.tif 000008
【図７】
2020093343.tif 000009
【図８】
2020093343.tif 000010
【図９】
2020093343.tif 000011
【図１０】
2020093343.tif 000012
【図１１】
2020093343.tif 000013
【図１２】
2020093343.tif 000014
【図１３】
2020093343.tif 000015